(57)【要約】【課題】内燃機関の所要部を冷却する冷却風の流れをシェラウドにより一方向に円滑にし、通気抵抗が小さく大きな冷却効果が期待できる強制空冷式内燃機関を供する。【解決手段】エアクリーナ25は前傾したシリンダ32のシリンダ軸線Ｃ−Ｃより上方にクリーナ空気吸入口25ｉが配設され、シリンダ32およびシリンダヘッド33を囲繞するシェラウド68は、クランクケースの一側方に冷却風入口67ｉが形成され、冷却風入口67ｉが形成される側壁68ｒに対向する側壁68ｌに冷却風出口68ｅが形成され、冷却風出口68ｅから延出する排風ダクト69は、側面視でシリンダ軸線Ｃ−Ｃより下方にあって、車体幅方向でエアクリーナ25の略外側でかつ伝動ケースカバー36の外側面より内側に配設される強制空冷式内燃機関。【選択図】図５
2008196397.tif 000002
【特許請求の範囲】
【請求項１】
シリンダを前傾させた内燃機関と同内燃機関から後方に延設される動力伝達機構と同動力伝達機構の後部に軸支される後輪とが一体に揺動自在に車体フレームに支持されるパワーユニットと、
前記内燃機関のシリンダおよびシリンダヘッドを囲繞するシェラウドと、
クランク軸の回転により駆動され同クランク軸近傍から前記シェラウド内に外気を吸入して前記シリンダおよびシリンダヘッドに送風する冷却ファンと、
前記内燃機関のクランクケースの上方に配設されるエアクリーナとを備える強制空冷式内燃機関において、
前記エアクリーナは前記シリンダのシリンダ軸線より上方にクリーナ空気吸入口が配設され、
前記シェラウドは、前記クランクケースの一側方に冷却風入口が形成され、
前記冷却風入口が形成される側壁に対向する側壁に冷却風出口が形成され、
前記冷却風出口から延出する排風ダクトは、側面視で前記シリンダ軸線より下方にあって、車体幅方向で前記エアクリーナの略外側でかつ前記動力伝達機構を覆う伝動ケースカバーの外側面より内側に配設されることを特徴とする強制空冷式内燃機関。
【請求項２】
前記伝動ケースカバーの内部に外気を導入する外気導入ダクトが、その外気導入口を前記シリンダ軸線より上方に配設して設けられることを特徴とする請求項１記載の強制空冷式内燃機関。
【請求項３】
前記外気導入ダクトの外気導入口は、車体幅方向で前記クリーナ空気吸入口と前記排風口の間に配設されることを特徴とする請求項２記載の強制空冷式内燃機関。
【請求項４】
前記外気導入ダクトと前記クリーナ空気吸入口は、側面視で重なるように配置されることを特徴とする請求項２または請求項３記載の強制空冷式内燃機関。
【請求項５】
前記排風ダクトは、前記外気導入ダクトの下端面に沿って後方に延出し車体カバーから外部に出て後端排風口を後方に向けて開口していることを特徴とする請求項２から請求項４までのいずれか１項記載の強制空冷式内燃機関。
【発明の詳細な説明】
【技術分野】
【０００１】
本発明は、強制空冷式の内燃機関に関する。
【背景技術】
【０００２】
スクータ型自動二輪車等に搭載される内燃機関は、ボディカバー内に配置されてボディカバーによって前方および左右を囲まれるので、走行風を内燃機関の冷却に利用し難い。
そこで、内燃機関のシリンダおよびシリンダヘッドをシェラウドで覆い、冷却ファンによって吸入した外気をシェラウドがシリンダおよびシリンダヘッド周りに流れるように構成し強制的に冷却する例が提案されている（例えば、特許文献１参照）。
【０００３】
【特許文献１】特公平０７−０２６５３３号公報
【０００４】
同特許文献１に開示された強制空冷式内燃機関において、シリンダとシリンダヘッドを囲繞するシェラウドは、シリンダとシリンダヘッドの右側を覆う右側シェラウドが右側から後方に延出し、クランク軸の右端に設けられる冷却ファンを覆うファンカバーに連結されている。
また、シリンダとシリンダヘッドの左側を覆う左側シェラウドから下方に向けて排出ダクトが突設されている。
【０００５】
したがって、冷却ファンの回転により右方から左方に略水平に吸入された冷却風は、右側シェラウドにより斜め前方に導かれた後、左方に向きを変えてシリンダとシリンダヘッドの周りを左方に流れることでシリンダとシリンダヘッドを冷却し、冷却した空気は左側シェラウドに当たって下方に向きを変えて排出ダクトから外部に排出される。
【発明の開示】
【発明が解決しようとする課題】
【０００６】
このように特許文献１のシェラウドは、左方水平方向に流れてシリンダとシリンダヘッドを冷却した冷却風が、左側シェラウドに当たって直角に向きを変えて排出ダクトから下方へ排出されるよう構成されているので、左側シェラウド内の隅部で部分的な滞留が起こる可能性があるとともに、通気抵抗も大きく冷却風量の増大が期待できない。
【０００７】
本発明は、かかる点に鑑みなされたもので、その目的とする処は、内燃機関の所要部を冷却する冷却風の流れをシェラウドにより一方向に円滑にし、通気抵抗が小さく大きな冷却効果が期待できる強制空冷式内燃機関を供する点にある。
【課題を解決するための手段】
【０００８】
上記目的を達成するために、請求項１記載の発明は、シリンダを前傾させた内燃機関と同内燃機関から後方に延設される動力伝達機構と同動力伝達機構の後部に軸支される後輪とが一体に揺動自在に車体フレームに支持されるパワーユニットと、前記内燃機関のシリンダおよびシリンダヘッドを囲繞するシェラウドと、クランク軸の回転により駆動され同クランク軸近傍から前記シェラウド内に外気を吸入して前記シリンダおよびシリンダヘッドに送風する冷却ファンと、前記内燃機関のクランクケースの上方に配設されるエアクリーナとを備える強制空冷式内燃機関において、前記エアクリーナは前記シリンダのシリンダ軸線より上方にクリーナ空気吸入口が配設され、前記シェラウドは、前記クランクケースの一側方に冷却風入口が形成され、前記冷却風入口が形成される側壁に対向する側壁に冷却風出口が形成され、前記冷却風出口から延出する排風ダクトは、側面視で前記シリンダ軸線より下方にあって、車体幅方向で前記エアクリーナの略外側でかつ前記動力伝達機構を覆う伝動ケースカバーの外側面より内側に配設される強制空冷式内燃機関とした。
【０００９】
請求項２記載の発明は、請求項１記載の強制空冷式内燃機関において、前記伝動ケースカバーの内部に外気を導入する外気導入ダクトが、その外気導入口を前記シリンダ軸線より上方に配設して設けられることを特徴とする。
【００１０】
請求項３記載の発明は、請求項２記載の強制空冷式内燃機関において、前記外気導入ダクトの外気導入口は、車体幅方向で前記クリーナ空気吸入口と前記排風口の間に配設されることを特徴とする。
【００１１】
請求項４記載の発明は、請求項２または請求項３記載の強制空冷式内燃機関において、前記外気導入ダクトと前記クリーナ空気吸入口は、側面視で重なるように配置されることを特徴とする。
【００１２】
請求項５記載の発明は、請求項２から請求項４までのいずれか１項記載の強制空冷式内燃機関において、前記排風ダクトは、前記外気導入ダクトの下端面に沿って後方に延出し車体カバーから外部に出て後端排風口を後方に向けて開口していることを特徴とする。
【発明の効果】
【００１３】
請求項１記載の強制空冷式内燃機関によれば、シリンダおよびシリンダヘッドを囲繞するシェラウドが、冷却風入口が形成される側壁に対向する側壁に冷却風出口が形成されているので、冷却風はシェラウド内を冷却風入口から冷却風出口へ一方向に偏りなく円滑に流れて排風ダクトから排出され、部分的に滞留することがないため、内燃機関のシリンダやシリンダヘッドなど所要部位を満遍なく効率良く冷却するとともに、通路抵抗も小さく冷却風量も多いので、大きな冷却効果を期待することができる。
【００１４】
また、クランクケースの上方に配設されるエアクリーナのクリーナ空気吸入口は、側面視で前傾したシリンダのシリンダ軸線より上方に配設され、排風ダクトはシリンダ軸線より下方にあるので、シリンダ軸線より上方に配設されるクリーナ空気吸入口に、排風ダクトの排風口から排出された温度の高い機関冷却風が吸い込まれるのを抑制することができ、吸気温度の上昇を防止することができる。
さらに、排風ダクトは、排風口がシリンダ軸線より下方にあって、車体幅方向でエアクリーナの外側でかつ動力伝達機構を覆う伝動ケースカバーの外側面より内側に配設されるので、排風ダクトを小型に形成してコンパクトに組み付けることができる。
【００１５】
請求項２記載の強制空冷式内燃機関によれば、伝動ケースカバーに外気を導入する外気導入ダクトが、その外気導入口をシリンダ軸線より上方に配設して設けられるので、シリンダ軸線より下方にある排風ダクトの排風口から排出された温度の高い機関冷却風が外気導入口に吸い込まれるのを抑制することができる。
【００１６】
請求項３記載の強制空冷式内燃機関によれば、外気導入ダクトの外気導入口は、車体幅方向でクリーナ空気吸入口と排風口の間に配設されるので、停車時など排風口から排出された機関冷却風が上昇した場合、より近い外気導入口の方に導かれ、遠い方のクリーナ空気吸入口に至って吸い込まれることが回避され、吸気温度の上昇を防止できる。
【００１７】
請求項４記載の強制空冷式内燃機関によれば、外気導入ダクトとクリーナ空気吸入口は、側面視で重なるように配置されるので、外気導入ダクトがガードして排風口から排出された機関冷却風がクリーナ空気吸入口に吸い込まれることが益々防止されるとともに、異物のクリーナ空気吸入口への侵入も防止することができる。
【００１８】
請求項５記載の強制空冷式内燃機関によれば、排風ダクトは、外気導入ダクトの下端面に沿って後方に延出し車体カバーから外部に出て後端排風口を後方に向けて開口しているので、排風口から排出される機関冷却風は、車体カバー内にこもることなく、特に伝動ケースカバーの下面を後方へ流れる走行風による負圧が働き、益々排風が促進されて機関冷却風量が増し冷却効果が向上する。
また、排風ダクトは、外気導入ダクトの下端面に沿って後方に延出しているので、排風ダクトの側方への張り出しを抑えて外観性を良くすることができる。
【発明を実施するための最良の形態】
【００１９】
以下、本発明に係る一実施の形態について図１ないし図１６に基づいて説明する。
図１は、本発明を適用した一実施の形態に係るスクータ型自動二輪車１の側面図である。
本実施の形態においては、スクータ型自動二輪車１の前進方向を向いた状態を基準にして前後左右を決めることとする。
【００２０】
車体前部１Ｆと車体後部１Ｒとが、低いフロア部１Ｃを介して連結されており、車体の骨格をなす車体フレームは、概ねダウンチューブ３とメインパイプ４とからなる。
すなわち車体前部１Ｆのヘッドパイプ２からダウンチューブ３が下方へ延出し、同ダウンチューブ３は下端で水平に屈曲してフロア部１Ｃの下方を後方へ延び、その後端において左右一対のメインパイプ４が連結され、メインパイプ４は該連結部から斜め後方に立ち上がって所定高さで水平に屈曲して後方に延びている。
【００２１】
同メインパイプ４により燃料タンクや収納ボックスが支持され、その上方にシート５が配置されている。
シート５は、前後に長尺であり、前半部の運転者用シート５ｆの後方が同乗者用シート５ｒとなっている。
一方車体前部２においては、ヘッドパイプ２に軸支されて上方にハンドル６が設けられ、下方にフロントフォーク７が延びてその下端に前輪８が軸支されている。
【００２２】
メインパイプ４の立ち上がり部下端にはブラケット４ａが突設され、同ブラケット４ａにリンク部材９を介してスイング式のパワーユニット10が揺動自在に連結支持されている。
パワーユニット10の側面図を図２に、同平面図を図３に、同前面図を図４に示す。
【００２３】
パワーユニット10には、その前部に単気筒の４ストロークサイクル内燃機関30が、シリンダブロック32を略水平に近い状態にまで大きく前傾した姿勢で搭載され、そのユニットケース31のクランクケースに相当する部分の下端から前方に突出したハンガーブラケット10ａの端部が前記リンク部材９にピボット軸９ａを介して連結される（図１参照）。
【００２４】
該内燃機関30から後方にかけてベルト式無段変速機35が構成され、その後部に設けられた減速機構38に後輪21が軸支されている。
ユニットケース31の後端と前記メインパイプ７の後部間にリヤクッション22が介装されている。
【００２５】
パワーユニット10の上部には、内燃機関30のシリンダヘッド33の上部から延出した吸気管23に接続された気化器24および同気化器24に連結されるエアクリーナ25が配設されている。
他方ユニットケース31の下部に突設されたハンガーブラケット10ａには、メインスタンド26が枢着されている。
【００２６】
図１を参照して、車体前部１Ｆは、フロントカバー11とリヤカバー12により前後が覆われ、フロントロアカバー13により左右側方が覆われ、ハンドル６の中央部はハンドルカバー14によって覆われる。
フロア部１Ｃは、ステッププレート15が張設され、同ステッププレート15は、フロア部１Ｃの水平に展開したフロアステップ部15ｆと左右側方を後方斜め上方に延出したピリオンステップ部15ｒとからなる。
ピリオンステップ部15ｒは、同乗者用シート５ｒに着座した同乗者の足Ｆ（図１において２点鎖線で示す）が載せられるように側方に水平に突出している。
【００２７】
このステッププレート15の左右側縁に沿って各々下方にロアサイドカバー16が延設されている。
車体後部１Ｒは、ステッププレート15のピリオンステップ部15ｒの上方に連結してボディカバー17がメインパイプ４の前方から左右側方に亘って覆うように被せられ、ボディカバー17の上端開口を前記シート５が開閉自在に覆うようになっている。
【００２８】
側面視でボディカバー17の後方斜め上方に先細に延出した後部からリヤフェンダ18が斜め下方に延びて後輪21を上方から覆っている。
【００２９】
左側面視（図１参照）で、順次重ねられたボディカバー17，ステッププレート15，ロアサイドカバー16の連続する後端縁17ｅ，15ｅ，16ｅは、概ね後方に傾斜しており、ステッププレート15とロアサイドカバー16の合せ面辺りの後端縁15ｅ，16ｅが後方に突出しており、この突出したピリオンステップ部15ｒの後端縁15ｅを形成する水平部が同乗者の足ＦのヒールＦｈが載せられる所である。
【００３０】
ステッププレート15の後端縁15ｅは、この突出した部分の上方が前方に凹んだ形状をなしてボディカバー17の後端縁17ｅに連続して凹部19が形成されており、したがって、ピリオンステップ部15ｒに載せられた同乗者の足ＦのヒールＦｈの内側は車体カバーのない凹部19となっている（図１参照）。
【００３１】
図５は、パワーユニット17を図１の概ねＶ−Ｖ線に沿って截断し展開した断面図である。
【００３２】
ユニットスイングケース31は、左右割りの左ユニットケース31Ｌと右ユニットケース31Ｒとを合体して構成されるもので、右ユニットケース31Ｒは、クランクケース部の半体をなし、左ユニットケース31Ｌは、前後に長尺で前部のクランクケース部31ａ，中央の伝動ケース部31ｂ，後部の減速機ケース部31ｃからなる。
【００３３】
この左ユニットケース31Ｌの左側開放面は、伝道ケースの一部である伝動ケースカバー36により覆われ、内部にベルト式無段変速機35が収納され、後方の減速機ケース部31ｃの右側開放面は減速機ケース37により覆われ、内部に減速機構38が収納される。
【００３４】
クランクケース部31ａと右ユニットケース31Ｒのいわゆるクランクケース内には、クランク軸40が左右の主軸受41，41に回転自在に支持されて、左右水平方向に延びた延出部のうち右延出部にはＡＣジェネレータ60が設けられ、左延出部にはカムチェーン駆動スプロケット55とベルト式無段変速機35のベルト駆動プーリ76が設けられる。
【００３５】
内燃機関30は、シリンダブロック32のシリンダライナ44内を往復動するピストン42とクランク軸40のクランクピン40ａとをコネクティングロッド43が連結している。
本４サイクル内燃機関30は、ＳＯＨＣ型式のバルブシステムを採用しており、シリンダヘッドカバー34内には動弁機構50が設けられ、同動弁機構50に駆動伝達を行うカムチェーン51がカムシャフト53とクランク軸40との間に架設されており、そのためのカムチェーン室52が、クランクケース部31ａ，シリンダブロック32，シリンダヘッド33に連通して設けられている。
【００３６】
すなわち左右水平方向に指向したカムシャフト53の左端に嵌着された被動スプロケット54と、クランク軸40に嵌着された前記駆動スプロケット55との間にカムチェーン51がカムチェーン室52内を通って架渡されている。
シリンダヘッド33においてカムチェーン室52と反対側（右側）から燃焼室に向かって斜めに点火プラグ45が嵌入されている。
【００３７】
図６に示すようにシリンダヘッドカバー34内の動弁機構50は、シリンダが水平に近い状態にまで大きく前傾しているので、カムシャフト53の上下に吸気バルブ56と排気バルブ57が配設されており、上下のロッカシャフト58ｉ，58ｅにはそれぞれロッカアーム59ｉ，59ｅが揺動自在に枢着され、カムシャフト53のカムの回転によりロッカアーム59ｉ，59ｅは揺動して所定のタイミングで吸気バルブ56と排気バルブ57の開閉動作を行わせる。
【００３８】
右ユニットケース31Ｒの右側面に設けられるＡＣジェネレータ60は、右ユニットケース31Ｒの中央円筒部31ｄより突出するクランク軸30の端部にＡＣＧボス61を介して碗状のアウタロータ62が固着され、その内周面に周方向に亘って配設される磁石63の内側にステータコイル65の巻回されたステータ64が中央円筒部31ｄに固定されている。
【００３９】
アウタロータ62の右側面には強制空冷ファン66が取り付けられ、その側方をファンカバー67が覆い、同ファンカバー67に連接されてシリンダブロック32およびシリンダヘッド33の周囲を覆うシェラウド68が設けられる。
【００４０】
ユニットスイングケース31のクランクケース部31ａには、前記カムチェーン室52が主軸受41によりクランク室と仕切って形成されており、同カムチェーン室52の左側壁は、さらに左方のベルト式無段変速機室70とカムチェーン室52とを仕切る仕切り壁71であり、同仕切り壁71にクランク軸40が貫通する大径の偏平円筒状をなす円形貫通孔71ａが形成され、同貫通孔71ａに円環状シール部材72が圧入され、同円環状シール部材72の中空部をクランク軸40が貫通している。
【００４１】
このシール部材72と主軸受41との間のクランク軸40に前記駆動スプロケット55が嵌着されており、同駆動スプロケット55に前記カムチェーン51が巻き掛けられる。
このシール部材72によりベルト式無段変速機室70がカムチェーン室52から水密に仕切られ、オイルがベルト式無段変速機室70に漏れるのを防止している。
シール部材72を貫通して延出したクランク軸40にはベルト駆動プーリ76が一体となって回転可能に設けられている。
【００４２】
ベルト駆動プーリ76は、固定側プーリ半体77と可動側プーリ半体78とからなり、固定側プーリ半体77は、クランク軸40の左端部にボス79を介して固着され、その右側に可動側プーリ半体78がクランク軸40にスプライン嵌合され、同可動側プーリ半体78はクランク軸40とともに回転し、かつ軸方向に摺動して固定側プーリ半体77に接近・離反することができ、両プーリ半体77，78間にＶベルト75が挟まれて巻き掛けられる。
【００４３】
可動側プーリ半体78の右側で前記円環状シール部材72に近接した固定位置にカムプレート80が設けられており、その外周端に設けたスライドピース80ａが可動側プーリ半体78の外周端に軸方向に形成したカムプレート摺動ボス部78ａに摺動自在に係合している。
可動側プーリ半体78のカムプレート80側側面は、カムプレート80側に向けてテーパしており、同テーパ面内側にカムプレート80に挟まれてドライウェイトローラ81が収容されている。
【００４４】
したがってクランク軸40の回転速度が増加すると、可動側プーリ半体78とカムプレート80間にあってともに回転するドライウェイトローラ81が、遠心力により遠心方向に移動し、可動側プーリ半体78は同ドライウェイトローラ81に押圧されて左方に移動して固定側プーリ半体77に接近し、両プーリ半体77，78間に挟まれたＶベルト75を遠心方向に移動させ巻き掛け径を大きくするように構成されている。
【００４５】
かかるベルト駆動プーリ76に対応する後方のベルト被動プーリ86は、減速機構38の減速機入力軸92に対し相対回転自在に支持されるインナスリーブ89に固定側プーリ半体87が嵌着され、同固定側プーリ半体87の左側でインナスリーブ89に軸方向の摺動自在に支持されたアウタスリーブ90に可動側プーリ半体88が嵌着されて、かかる両プーリ半体87，88から構成されている。
両プーリ半体87，88に前記Ｖベルト75が挟持される。
【００４６】
減速機入力軸92とインナスリーブ89の左側部に遠心クラッチ91が設けられており、Ｖベルト75を介してインナスリーブ89に伝達された動力は、その回転速度が増すと遠心クラッチ91が接合して減速機入力軸92に伝達される。
減速機構38は、減速機入力軸92に伝達された動力を中間軸93を介して出力軸94に歯車の噛合により減速して伝えるものであり、出力軸94が後輪21の車軸で後輪21を回転させる後車軸である。
【００４７】
図５を参照して、ベルト式無段変速機室70を左側から覆う伝動ケースカバー36は、前方のベルト駆動プーリ76から後方の遠心クラッチ91までを覆っており、中央より若干前寄りにキック軸27が回動自在に貫通支持されており、同キック軸27の内側端部には駆動ヘリカルギヤ100 が嵌着され、リターンスプリング101 により付勢されている。
【００４８】
そして伝動ケースカバー36の前部内面には、クランク軸40と同軸に摺動軸102が回転かつ軸方向の摺動可能に支持されており、同摺動軸102 には被動ヘリカルギヤ103 が形成されて前記駆動ヘリカルギヤ100 と噛合しているとともに、右端にはラチェットホイール104 が固着され、全体がフリクションスプリング105 により左方に付勢されている。
一方クランク軸40側のボス79には、ラチェットホイール105 に対向してラチェット79ａが形成されており、両者は摺動軸102 の摺動で接離可能である。
【００４９】
したがってキックペダルが踏み込まれ、キック軸27がリターンスプリング101 に抗して回転すると、キック軸27と一体に駆動ヘリカルギヤ100 が回転して、これと噛合する被動ヘリカルギヤ103 が摺動軸102 と一体に回転しながらフリクションスプリング105 に抗して右方に摺動して、ラチェットホイール105 がボス79のラチェット79ａと噛み合ってクランク軸40を強制的に回転させ内燃機関30を始動することができる。
【００５０】
一方、本内燃機関は、左ユニットケース31Ｌのクランクケース部31ａの上方にスタータモータ110 が配設されており、図７に示すようにスタータモータ110 は、アウタステータの磁石111 に周りを囲まれたインナロータのコイル112 の巻回されたピニオン113 が左方に突出しており、ピニオン113 の端部にギヤ113aが形成されている。
【００５１】
そしてクランクケース部31ａと伝動ケースカバー36とに挟持されて飛び込みギヤ機構115 が、軸を左右水平方向に指向させて、スタータモータ110 とベルト駆動プーリ76との間に設けられており、同飛び込みギヤ機構115 の右側の入力ギヤ116 にスタータモータ110 のピニオンギヤ113aが噛合し、一方の左側の飛び込みギヤ117 は、左方に飛び出すと固定側プーリ半体77の外周縁に形成されたスタータリングギヤ77ａに噛み合う。
【００５２】
したがってスタータモータ110 が駆動すると、ピニオン113 の回転が飛び込みギヤ機構115 の入力ギヤ116 に伝達され、飛び込みギヤ117 が左方に飛び出し固定側プーリ半体77のスタータリングギヤ77ａに噛み込み、固定側プーリ半体77をクランク軸40とともに回転させて内燃機関30の始動を行うことができる。
なおスタータモータ110 が停止すれば飛び込みギヤ117 は引っ込みスタータリングギヤ77ａとの噛合が解かれる。
【００５３】
飛び込みギヤ117 の噛み込みを受けるスタータリングギヤ77ａの形成された固定側プーリ半体77は、そのＶベルト75を挟持する側面と反対側の側面（左側面）に鉄製の冷却ファン118 が図示しないボルトで締結されており、冷却ファン118の回転により外気が導入されてベルト式無段変速機35が冷却される。
【００５４】
伝動ケースカバー36は、ベルト式無段変速機35の左側を覆う側壁と外周囲を囲繞する周壁とから概ねなり、図８に示すように、側壁の前部に部分的に段差36ｂを経て凹んだ凹壁部36ａが形成されており、同凹壁部36ａに変形矩形のケース吸風口36ｃが左方に開口している。
また、図８に破線で示すように、前後方向の略中央位置に側壁内面に沿って筒状のケース排風ダクト36ｄが斜め縦方向に形成されていて、その上端開口が室内側に開放し下端開口が室外側に開放している。
【００５５】
したがって、伝動ケースカバー36の前部のケース吸風口36ｃは、前記固定側プーリ半体77に焼き付けられた冷却ファン118に対向して開口し（図５参照）、冷却ファン118の回転によりケース吸風口36ｃから冷却風をベルト式無段変速機室70内に吸い込み、ベルト式無段変速機35を冷却した冷却風をケース排風ダクト36ｄより外へ排出することができる。
【００５６】
また、伝動ケースカバー36の前部の凹壁部36ａの上部には前記飛び込みギヤ117の支持部36ｅが部分円錐状に形成されおり、ケース吸風口36ｃの上下にはボルト孔36ｉ,36ｊが形成されている。
【００５７】
この伝動ケースカバー36の前部の凹壁部36ａに、ヒールガイド部材でもある外気導入ダクト150が嵌合して取り付けられる。
外気導入ダクト150は、内壁部材151と外壁カバー部材161が合体して内部に外気通路空間を構成するダクトである。
【００５８】
図９ないし図１１に図示するように、内壁部材151は、内壁152が側面視で概ね魚の胸びれ形をしており（図９，図１０参照）、また同内壁152は、前面視で鉛直壁をなす上壁部152ｕと下壁部152ｌが左右にオフセットして斜壁部152ｓにより連結された形状をしている（図１１参照）。
この内壁152の周縁の若干内側に周壁153が左側面に突出形成されている（図９参照）。
【００５９】
内壁152の上壁部152ｕには、周壁153の内側に外気導入口154が穿設されており、同外気導入口154にはルーバ155が架設されている。
一方、内壁152の下壁部152ｌには、前記伝動ケースカバー36のケース吸風口36ｃに対応する連結口152ｃが穿設されている。
また、斜壁部152ｓには、前記伝動ケースカバー36の円錐状の支持部36ｅに対応した円錐部152ｅが形成されている。
【００６０】
また、内壁152の左側面に連結口152ｃの上方から前方斜め下向きに連結口152ｃの前側に沿って湾曲して突条156が突出形成されており、突条156の前下部分は前記周壁153の前側部分と平行に並んで下方に延びており、両者間にドレン通路170を形成している。
なお、ドレン通路170の下端は開放されている。
【００６１】
突条156のさらに上方には、外気導入口154との間に直線的な突条157が突出形成されている。
同突条157は、外気導入口154の下方を周壁153の後側部分から前方へ若干下向きに延びており、その突条157の前部の下方に下側の突条156の後部が位置して両者間に外気通路160が構成されている。
【００６２】
なお、周壁153の後側傾斜部分における突条156の後端部の下方に位置する箇所に切欠き153ｂが形成され、この切欠き153ｂにより切断された下側周壁153の上端に取付孔158ｉが形成され、同取付孔158ｉより前方斜め上向きに突条153ａが延びている。
取付孔158ｉは、連結口152ｃの上部に位置して前記伝動ケースカバー36のボルト孔36ｉに対応し、連結口152ｃの下方にはボルト孔36ｊに対応する取付孔158ｊが穿孔されている。
【００６３】
また、内壁152における上壁部152ｕの外気導入口154より後方の後端縁に係合爪159ｐが突出しており、下壁部152ｌの湾曲した前端縁の下部にもう一つの係合爪159ｑが突出して形成されている。
【００６４】
一方、外壁カバー部材161は、図１２ないし図１４に図示するように、外壁162が側面視で内壁部材151の内壁152と略同じ形状をして（図１２，図１３参照）、前面視で鉛直壁をなす上壁部162ｕと下壁部162ｌが左右にオフセットして斜壁部162ｓにより連結された形状をしている（図１４参照）。
この外壁162との周縁に内壁部材151の周壁153より若干大きい周壁163が右側面に突出形成されている（図１３参照）。
【００６５】
外壁162の右側面には、内壁152の左側面に形成された湾曲した突条156の上面に沿うことができる突条166が突出形成され、周壁163との間に前記ドレン通路170が重なって構成される。
突条166のさらに上方には、内壁152の左側面に形成された直線状の突条157の上面に沿うことができる突条167が突出形成されている。
【００６６】
そして、周壁163の後傾斜部分の中央と下端部に、前記取付孔158ｉ，158ｊにそれぞれ対応する取付孔168ｉ，168ｊが形成されている。
また、周壁163における後端縁の上部と前端縁の下部に、前記係合爪159ｐ，159ｑに対応して係合片169ｐ，169ｑが形成されている。
係合片169ｐは係合爪159ｐを引っ掛けて係合するフック状のもので、係合片169ｑは係合爪159ｑを挿入して係合する挿入孔が形成されたものである。
【００６７】
以上の内壁部材151と外壁カバー部材161を、各内壁152と外壁162を対向させて内壁部材151の周壁153の外側に外壁カバー部材161の周壁163が嵌合するようにして合体する。
このとき、まず内壁部材151の係合爪159ｑを外壁カバー部材161の係合片169ｑに挿入して係合し、周壁153，163を互いに嵌合しながら両者を合わせることで、内壁部材151の係合爪159ｐが外壁カバー部材161の係合片169ｐに引っ掛かって係合し、両者が合体し１つの外気導入ダクト150が構成される。
【００６８】
外気導入ダクト150の内部は、内壁152の上部に形成された外気導入口154から下部の連結口152ｃに至るまで上側の直線状の突条157，167および下側の湾曲した突条156，166によりラビリンス構造をなした外気通路160が構成される。
外気導入口154より泥や水が外気通路160に浸入しても、まず浸入した泥や水は上側の傾斜した突条157，167の上面を伝わって前方に流れ、前端から下方の突条156，166に落下して湾曲した突条156，166上を前方に流れドレン通路170を流下して外部に排出される。
【００６９】
このような外気導入ダクト150が、伝動ケースカバー36の前部の凹壁部36ａに嵌合される。
外気導入ダクト150の下壁部152ｌ，162ｌと斜壁部152ｓ，162ｓが、伝動ケースカバー36の凹壁部36ａに嵌合し、合致した取付孔158ｉ，168ｉと取付孔158ｊ，168ｊを、それぞれ伝動ケースカバー36側のボルト孔36ｉとボルト孔36ｊに合わせてボルト171，172により螺合し緊締することで外気導入ダクト150を伝動ケースカバー36に取り付ける。
【００７０】
こうして伝動ケースカバー36に外気導入ダクト150が取り付けられると、外気導入ダクト150の外壁カバー部材161の外面が伝動ケースカバー36の外面と同一面を構成し、内壁部材151の下部の連結口152ｃが伝動ケースカバー36のケース吸風口36ｃと連結する。
【００７１】
そして、外気導入ダクト150の上壁部152ｕ，162ｕが伝動ケースカバー36より上方に突出しかつ車体内側に偏向屈曲するように延設されており、この上方に突出した内壁部材151の上壁部152ｕに外気導入口154が右側（車体内側）に向いて開口している。
外気導入口154に設けられたルーバ155は右側（車体内側）に向いて下方に傾斜していて泥や水が上方から外気導入口154に入り難くしている。
【００７２】
以上のように、伝動ケースカバー36の前部に外気導入ダクトである外気導入ダクト150が取り付けられるので、ベルト式無段変速機35の固定側プーリ半体77に添着された冷却ファン118の回転により、外気導入ダクト150の外気導入口154から外気通路160を介して外気をケース吸風口36ｃに導入して冷却風としてベルト式無段変速機室70内に吸い込み、ベルト式無段変速機35を冷却した冷却風をケース排風ダクト36ｄより外へ排出する。
【００７３】
そして、外気導入口154より泥や水などの異物が外気通路160に浸入しても、浸入した異物は突条157，167および突条156，166により構成されたドレン通路170を通って外部に排出されるので、ベルト式無段変速機室70内への異物の侵入を防止することができる。
【００７４】
外気導入ダクト150はヒールガイド部材でもあり、伝動ケースカバー36より上方に延設された上壁部152ｕ，162ｕが、実際のガイド部150ｕであり、図１に示すように、このガイド部150ｕは前記ステッププレート15のピリオンステップ部15ｒの後端が側面視で一部外側から重なり、その上方の凹部19を塞ぐように上方に延出している。
【００７５】
内燃機関30のクランクケース部の上方に配設されるエアクリーナ25は、本体容器25ａの後部が左右に膨出して、左側膨出部から本体容器25ａの左側壁に沿って吸入ダクト25ｂが前方に延出している。
吸入ダクト25ｂの前端に開口したクリーナ空気吸入口25ｉは、前記外気導入ダクト150のガイド部150ｕの内側に離れて位置し（図３，図４参照）、側面視でガイド部150ｕと重なる（図２参照）。
【００７６】
このように、外気導入ダクト150のガイド部150ｕが、エアクリーナ25のクリーナ空気吸入口25ｉを外側方から隠すので、エアクリーナ25への泥や水その他の異物の侵入を防ぐことができる。
【００７７】
ピリオンステップ部15ｒに載せられた同乗者の足Ｆ（図１において２点鎖線で示す）のヒール部Ｆｈは、凹部19を車体内側から塞ぐガイド部150ｕによりガイドされる。
外気導入ダクト150はヒールガイド部材を兼ねることで、部品点数および組立工数を削減して、コストの低減を図ることができる。
【００７８】
内燃機関30のシリンダブロック32およびシリンダヘッド33の周囲を覆う前記シェラウド68は、図２ないし図５に示すように、前端部の矩形開口からシリンダヘッドカバー34を嵌入して前方に突出させており、同矩形開口から上側壁68ｕ、下側壁68ｄ、左側壁68ｌが、シリンダヘッド33とシリンダブロック32の側面に沿って後方に延出し、右側壁68ｒはシリンダヘッド33とシリンダブロック32から徐々に離れるように大きく右方に膨出して前記ファンカバー67に連結されている。
【００７９】
なお、ファンカバー67は、クランク軸40を中心軸とする環状フレーム67ａの周縁の前部がシェラウド68の右側壁68ｒの後端縁とねじ120により螺着連結され、環状フレーム67ａの周縁の前部以外の部分が右ユニットケース31Ｒの右端縁にボルト121により螺着して固定されるので、ファンカバー67はシェラウド68の延長部材に相当し、右側壁に強制空冷ファン66に対向して冷却風入口67ｉが設けられている（図５参照）。
【００８０】
他方、シェラウド68の左側壁68ｌには、下半部の後方寄りに冷却風出口68ｅが開口しており、同冷却風出口68ｅに排風ダクト69の前端が連結されている。
排風ダクト69は、シェラウド68の左側壁68ｌの冷却風出口68ｅから左方に延出した後、後方斜め下向きに屈曲して外気導入ダクト150の下端面に沿って伝動ケースカバー36の凹壁部36ａに一部嵌合しながら延出して伝動ケースカバー36の段差36ｂに至って後端排風口69ｅが後方斜め下向きに開口している（図２、図３、図４参照）。
【００８１】
シリンダブロック32およびシリンダヘッド33を囲繞するシェラウド68は、右側壁68ｒの後方への延長であるファンカバー67に冷却風入口67ｉが設けられ、この右側壁68ｒに対向する左側壁68ｌに冷却風出口68ｅが形成されているので、図５を参照して、強制空冷ファン66の回転により冷却風入口67ｉから吸入された冷却風は、湾曲した右側壁68ｒにより斜め前方に導かれながらシリンダブロック32とシリンダヘッド33の周りを左方に流れることでシリンダブロック32とシリンダヘッド33を冷却し、冷却した空気は向きを変えることなく、そのまま左側壁68ｌの冷却風出口68ｅに流出する。
【００８２】
したがって、冷却風はシェラウド68内を冷却風入口67ｉから冷却風出口68ｅへ一方向に偏りなく円滑に流れて排風ダクト69から排出されることになり、部分的に滞留することがないため、内燃機関30のシリンダブロック32やシリンダヘッド33など所要部位を満遍なく効率良く冷却するとともに、通路抵抗も小さく冷却風量も多いので、大きな冷却効果を期待することができる。
【００８３】
また、図２のパワーユニット10の側面図を参照して、排風ダクト69は、シリンダブロック32のシリンダボアの中心軸であるシリンダ軸線Ｃ−Ｃよりも側面視で下方にある。
図４のパワーユニット10の前面図を参照して、排風ダクト69は、車体幅方向において、エアクリーナ25の略外側（図４で右側）で、かつ伝動ケースカバー36の外側面よりも内側（図４で左側）に位置している。
【００８４】
したがって、排風ダクト69は、小型で、シェラウド68の左外側にコンパクトに取り付けられ、外気導入ダクト150の下端面に沿わせて目立たないように取り付けられているので、外観性が向上している。
【００８５】
前記エアクリーナ25のクリーナ空気吸入口25ｉおよび外気導入ダクト150の外気導入口154は、ともにシリンダ軸線Ｃ−Ｃよりも側面視で上方の高い位置にある（図２参照）。
【００８６】
すなわち、シリンダ軸線Ｃ−Ｃより下方にある排風ダクト69の排風口69ｅに対してクリーナ空気吸入口25ｉおよび外気導入口154がシリンダ軸線Ｃ−Ｃより上方の高い位置にあり、かつ両者間には外気導入ダクト150および伝動ケースカバー36が介在する。
したがって、外気導入ダクト150の下の排風口69ｅから排出された温度の高い機関冷却風は、主に伝動ケースカバー36の下面に沿って後方に流れ、伝動ケースカバー36の側面に沿って上昇したとしても、クリーナ空気吸入口25ｉおよび外気導入口154に、吸い込まれる可能性は低く、吸気温度の上昇およびベルト式無段変速機35の冷却効果の低下を防止できる。
【００８７】
また、車体幅方向で、外気導入口154は、クリーナ空気吸入口25ｉと排風ダクト69の排風口69ｅとの間に配設されている（図４参照）。
したがって、停車時など排風口69ｅから排出された機関冷却風が上昇した場合でも、より近い外気導入口154の方に先に導かれ、遠い方のクリーナ空気吸入口25ｉに至って吸い込まれる可能性は益々低く、吸気温度の上昇を防止できる。
【００８８】
さらに、外気導入ダクト150とクリーナ空気吸入口25ｉは、側面視で重なるように配置されるので、ガイド部150ｕが外側からガイドして排風口69ｅから排出された機関冷却風がクリーナ空気吸入口25ｉに吸い込まれることが確実に防止して、より一層吸気温度の上昇を回避することができるとともに、泥や水その他の異物のクリーナ空気吸入口への侵入も防止することができる。
【図面の簡単な説明】
【００８９】
【図１】本発明の一実施の形態に係るスクータ型自動二輪車の全体側面図である。
【図２】該スクータ型自動二輪車のパワーユニットの側面図である。
【図３】同平面図である。
【図４】同前面図である。
【図５】図２におけるＶ−Ｖ線に沿って截断した断面図である。
【図６】図５におけるVI−VI線に沿って截断した断面図である。
【図７】図２におけるVII−VII線に沿って截断した断面図である。
【図８】伝動ケースカバーの側面図である。
【図９】外気導入ダクトの内壁部材の左側面図である。
【図１０】同右側面図である。
【図１１】図１０におけるVII−VII線に沿って截断した断面図である。
【図１２】外気導入ダクトの外壁カバー部材の左側面図である。
【図１３】同右側面図である。
【図１４】図１３におけるXIV−XIV線に沿って截断した断面図である。
【図１５】内壁部材と外壁カバー部材とを合体した外気導入ダクトの右側面図である。
【図１６】図１５におけるXV−XV線に沿って截断した断面図である。
【符号の説明】
【００９０】
１…スクータ型自動二輪車、10…パワーユニット、24…気化器、25…エアクリーナ、25ｂ…吸入ダクト、25ｉ…クリーナ空気吸入口、
30…内燃機関、31…ユニットケース、32…シリンダブロック、33…シリンダヘッド、34…シリンダヘッドカバー、35…ベルト式無段変速機、36…伝動ケースカバー、36ｃ…ケース吸風口、36ｄ…ケース排風ダクト、40…クランク軸、66…強制空冷ファン、67…ファンカバー、67ｉ…冷却風入口、68…シェラウド、68ｌ…左側壁、68ｒ…右側壁、68ｅ…冷却風出口、69…排風ダクト、69ｅ…後端排風口、70…ベルト式無断変速室、118 …冷却ファン、
150…外気導入ダクト（ヒールガイド部材）、150ｕ…ガイド部、154…外気導入口、160…外気通路。
【図１】
2008196397.tif 000003
【図２】
2008196397.tif 000004
【図３】
2008196397.tif 000005
【図４】
2008196397.tif 000006
【図５】
2008196397.tif 000007
【図６】
2008196397.tif 000008
【図７】
2008196397.tif 000009
【図８】
2008196397.tif 000010
【図９】
2008196397.tif 000011
【図１０】
2008196397.tif 000012
【図１１】
2008196397.tif 000013
【図１２】
2008196397.tif 000014
【図１３】
2008196397.tif 000015
【図１４】
2008196397.tif 000016
【図１５】
2008196397.tif 000017
【図１６】
2008196397.tif 000018